(57)【要約】【課題】居住者がエントランスを解錠するための鍵を取り出さず、さらに集合住宅特定の者のみが電気錠の解錠を行うことができるワイヤレスキーシステムを提供する。【解決手段】エントランス扉を開扉するためのＩＤ端末とから構成される集合住宅インターホンシステムにおいて、集合玄関機には、呼出操作されたとき、ＩＤ端末の情報を無線電波によって読み取るＩＤ端末読取部と、ＩＤ端末の情報に対応させた居室親機の部屋番号を記憶する第一記憶部と、呼出部にて呼出操作されたときに入力した呼出部屋番号およびＩＤ端末読取部にて読み取られた読取ＩＤ情報と第一記憶部に記憶されている呼出部屋番号および読取ＩＤ情報を比較する部屋番号ＩＤ比較部と、部屋番号ＩＤ比較部にて一致と判断したとき、エントランス扉を開扉制御する開扉制御部を備えたことを特徴とする。【選択図】図１
2012049938.tif 000002
【特許請求の範囲】
【請求項１】
集合住宅において、居室親機（１０ａ、１０ｂ、１０ｃ・・・）と、エントランスに設置される集合玄関機（２０）およびエントランス扉（４０）と、前記居室親機、前記集合玄関機をそれぞれ制御するための制御装置（３０）と、前記エントランス扉を開扉するためのＩＤ端末（５０）とから構成される集合住宅インターホンシステムにおいて、
前記集合玄関機には、用件のある前記居室親機の呼出部屋番号を入力して前記居室親機を呼び出すため呼び出すための呼出部（２０１）と、前記呼出部にて呼出操作されたとき、前記ＩＤ端末の情報を無線電波によって読み取るＩＤ端末読取部（２０５）と、前記ＩＤ端末の情報に対応させた前記居室親機の部屋番号を記憶する第一記憶部（２０６１）と、前記呼出部にて呼出操作されたときに入力した呼出部屋番号および前記ＩＤ端末読取部にて読み取られた読取ＩＤ情報と前記第一記憶部に記憶されている呼出部屋番号および読取ＩＤ情報を比較する部屋番号ＩＤ比較部（２０７１）と、前記部屋番号ＩＤ比較部にて一致と判断したとき、前記エントランス扉を開扉制御する開扉制御部（２０９）を備えたことを特徴とする集合住宅インターホンシステム。
【請求項２】
前記集合玄関機には、前記部屋番号ＩＤ比較部にて不一致と判断したとき、又は前記ID端末の情報が未取得であるとき呼出部屋番号の前記居室親機に呼出制御をおこなう呼出制御部（２１０１）を備えたことを特徴とする請求項１記載の集合住宅インターホンシステム。
【請求項３】
前記集合玄関機には、前記エントランス扉を開扉させるための前記ＩＤ端末を登録するＩＤ登録モードに切り替えるモード切替部（２１０１）と、前記呼出部で入力した前記呼出部屋番号と前記読取ＩＤ情報を対応させて前記第一記憶部に記憶させる第一登録部（２０８１）を備えたことを特徴とする請求項１または２記載の集合住宅インターホンシステム。
【請求項４】
前記集合玄関機には、来訪者を撮像するカメラ（２０４）と、前記ＩＤ端末の情報に対応させた人物画像を記憶する第二記憶部（２０６２）と、前記呼出部にて呼出操作されたときに撮像された映像信号および前記ＩＤ端末読取部にて読み取られた読取ＩＤ情報と前記第二記憶部に記憶されている呼出部屋番号および映像信号を比較する部屋番号映像比較部（２０７２）と、前記呼出信号に付加された前記映像信号と前記読取ＩＤ情報と前記第二記憶部に記憶されている前記呼出部屋番号と前記映像信号を比較する部屋番号映像比較部（２０７２）と、前記部屋番号映像比較部にて一致と判断したとき、前記エントランス扉を前記開扉制御部にて開扉制御することを特徴とする請求項１の集合住宅インターホンシステム。
【請求項５】
前記集合玄関機には、前記部屋番号映像比較部にて不一致と判断したとき、呼出部屋番号の前記居室親機に呼出制御をおこなう呼出制御部（２１０１）を備えたことを特徴とする請求項４記載の集合住宅インターホンシステム。
【請求項６】
前記集合玄関機には、前記エントランス扉を開扉させるための前記ＩＤ端末を登録するＩＤ登録モードモードに切り替えるモード切替部（２１０１）と、前記呼出部で入力した前記呼出部屋番号と前記映像を対応させて前記第二記憶部に記憶させる第二登録部（２０８２）を備えたことを特徴とする請求項４または５記載の集合住宅インターホンシステム。
【発明の詳細な説明】
【技術分野】
【０００１】
本発明は、集合住宅インターホンシステムに係わり、特にセキュリティを保ちつつ、エントランス扉を容易に開扉させる集合住宅インターホンシステムに関する。
【背景技術】
【０００２】
従来、この集合住宅インターホンシステムでは、居住者は所有している鍵をカバン又はポケットから取り出し、その鍵を集合玄関機に設けられた鍵穴に差し込んで回転させる等の操作を行わなければ集合住宅内に入ることがでず、手間が掛かってしまっていた。この手間を改善するために特許文献１では、カバン又はポケットに入れたワイヤレスキーのＩＤ信号をインターホンで受信することによって、エントランス扉を開扉させることができた。
【先行技術文献】
【特許文献】
【０００３】
【特許文献１】特開平６−３０７１３５号公報
【発明の開示】
【発明が解決しようとする課題】
【０００４】
しかしながら、エントランスに複数の来客がいるときに、ワイヤレスキーを所有する居住者がエントランスにいると、ワイヤレスキーのＩＤ情報を受信されてエントランス扉が開扉されてしまっていた。そのため、エントランスにいる不審者を容易に集合住宅内に侵入することを許していた。
【０００５】
本発明はこの点に鑑みて提案されたもので、居住者がエントランスを解錠するための鍵を取り出さず、さらに集合住宅特定の者のみがエントランス扉の解錠を行うことができる集合住宅インターホンシステムを提供することを目的としている。
【課題を解決するための手段】
【０００６】
上述の目的を達成するため、本発明の第１の態様である集合住宅インターホンシステムは、集合住宅において、居室親機と、エントランスに設置される集合玄関機およびエントランス扉と、居室親機、集合玄関機をそれぞれ制御するための制御装置と、エントランス扉を開扉するためのＩＤ端末とから構成される集合住宅インターホンシステムにおいて、集合玄関機には、用件のある居室親機の呼出部屋番号を入力して居室親機を呼び出すため呼び出すための呼出部と、呼出部にて呼出操作されたとき、ＩＤ端末の情報を無線電波によって読み取るＩＤ端末読取部と、ＩＤ端末の情報に対応させた居室親機の部屋番号を記憶する第一記憶部と、呼出部にて呼出操作されたときに入力した呼出部屋番号およびＩＤ端末読取部にて読み取られた読取ＩＤ情報と第一記憶部に記憶されている呼出部屋番号および読取ＩＤ情報を比較する部屋番号ＩＤ比較部と、部屋番号ＩＤ比較部にて一致と判断したとき、エントランス扉を開扉制御する開扉制御部を備えたことを特徴とする。
【０００７】
また、本発明の第２の態様である集合住宅インターホンシステムは、集合玄関機には、部屋番号ＩＤ比較部にて不一致と判断したとき、又はID端末の情報が未取得であるとき呼出部屋番号の居室親機に呼出制御をおこなう呼出制御部を備えたことを特徴とする。
【０００８】
また、本発明の第３の態様である集合住宅インターホンシステムは、集合玄関機には、エントランス扉を開扉させるためのＩＤ端末を登録するＩＤ登録モードに切り替えるモード切替部と、呼出部で入力した呼出部屋番号と読取ＩＤ情報を対応させて第一記憶部に記憶させる第一登録部を備えたことを特徴とする。
【０００９】
また、本発明の第４の態様である集合住宅インターホンシステムは、集合玄関機には、来訪者を撮像するカメラと、ＩＤ端末の情報に対応させた人物画像を記憶する第二記憶部と、呼出部にて呼出操作されたときに撮像された映像信号およびＩＤ端末読取部にて読み取られた読取ＩＤ情報と第二記憶部に記憶されている呼出部屋番号および映像信号を比較する部屋番号映像比較部と、呼出信号に付加された映像信号と読取ＩＤ情報と第二記憶部に記憶されている呼出部屋番号と映像信号を比較する部屋番号映像比較部と、部屋番号映像比較部にて一致と判断したとき、エントランス扉を開扉制御部にて開扉制御することを特徴とする。
【００１０】
また、本発明の第５の態様である集合住宅インターホンシステムは、集合玄関機には、部屋番号映像比較部にて不一致と判断したとき、呼出部屋番号の居室親機に呼出制御をおこなう呼出制御部を備えたことを特徴とする。
【００１１】
また、本発明の第６の態様である集合住宅インターホンシステムは、集合玄関機には、エントランス扉を開扉させるためのＩＤ端末を登録するＩＤ登録モードモードに切り替えるモード切替部と、呼出部で入力した呼出部屋番号と映像を対応させて第二記憶部に記憶させる第二登録部を備えたことを特徴とする。
【発明の効果】
【００１２】
請求項１の発明によれば、ワイヤレスキーを所有していた場合、居住者の部屋番号の呼出操作を行うことでエントランス扉を開扉させ、集合住宅内に入ることができる。
請求項２の発明によれば、ワイヤレスキーを所有していなかった場合、居住者の部屋番号の呼出操作によって、居室親機を呼び出すことができる。
請求項３の発明によれば、ワイヤレスキーのＩＤ情報と部屋番号を対応させてエントランス扉を開扉させるための設定を行うことができる。
請求項４の発明によれば、ワイヤレスキーを所有していた場合、居住者が部屋番号の呼出操作を行い、人物の画像が一致することでエントランス扉を開扉させ、集合住宅内に入ることができる。
請求項５の発明によれば、人物の画像が一致していなかった場合、居住者の部屋番号の呼出操作によって、居室親機を呼び出すことができる。
請求項６の発明によれば、ワイヤレスキーのＩＤ情報と居住者の顔画像を対応させてエントランス扉を開扉させるための設定を行うことができる。
【図面の簡単な説明】
【００１３】
【図１】本発明に係る実施形態である集合住宅インターホンシステムのシステム構成図である。
【発明を実施するための形態】
【００１４】
以下、本発明によるインターホンシステムを適用した好ましい形態の実施例について、図を参照して説明する。
この実施形態による集合住宅インターホンシステムは、図１のように、エントランスに設置され居住者を呼び出すための集合玄関機２０と、集合玄関機２０から呼び出されたときに応答・通話するための居室親機１０ａ、１０ｂ、１０ｃ・・・と、エントランスに入場するためのエントランス扉４０と、居住者が所有するエントランス扉４０を開扉させるためのＩＤ端末５０と、集合玄関機２０、居室親機１０ａ、１０ｂ、１０ｃ・・・を制御するための制御機３０とから構成されている。
【００１５】
集合玄関機２０には、来訪者が居室親機１０ａ、１０ｂ、１０ｃ・・・を呼び出すため呼出部２０１と、居室親機１０ａ、１０ｂ、１０ｃ・・・と通話するためのマイク２０２およびスピーカ２０３と、エントランスにいる来訪者を撮像するためのカメラ２０４と、エントランス扉４０を開扉制御させるための開扉制御部２０９と、居住者が所有するＩＤ端末のＩＤ情報を無線電波で受信するＩＤ端末読取部２０５と、ＩＤ端末５０のＩＤ情報に対応させた居室親機１０ａ、１０ｂ、１０ｃ・・・の部屋番号を記憶する第一記憶部２０６１と、ＩＤ端末５０のＩＤ情報に対応させた人物画像を記憶する第二記憶部２０６２と、呼出操作されたときに入力した呼出部屋番号およびＩＤ端末読取部２０５にて読み取られた読取ＩＤ情報と第一記憶部２０６１に記憶されている呼出部屋番号および読取ＩＤ情報を比較する部屋番号ＩＤ比較部２０７１と、呼出操作されたときにカメラ２０４で撮像された映像信号およびＩＤ端末読取部２０５にて読み取られた読取ＩＤ情報と第二記憶部２０６２に記憶されている呼出部屋番号および映像信号を比較する部屋番号映像比較部２０７２と、部屋番号ＩＤ比較部２０７１および部屋番号映像比較部２０７２で一致と判断したとき、エントランス扉４０を開扉制御する開扉制御部２０９と、部屋番号ＩＤ比較部２０７１または部屋番号映像比較部２０７２で不一致と判断したとき、居室親機１０ａ、１０ｂ、１０ｃ・・・に呼出信号を送信する呼出制御部２１０２と、エントランス扉４０を開扉させるためのＩＤ端末５０を登録するＩＤ登録モードに切り替えるモード切替部２１０１と、ＩＤ登録モードの時、呼出部屋番号と読取ＩＤ情報を対応させて第一記憶部２０６１に記憶させる第一登録部２０８１、呼出部屋番号と映像を対応させて第二記憶部２０６２に記憶させる第二登録部２０８２と、制御機３０と通信を行うための集玄Ｉ／Ｆ２１１と、集合玄関機２０を制御する集玄制御部２１０とを備えている。
【００１６】
制御装置３０には、居室親機１０ａ、１０ｂ、１０ｃ・・・と通信を行なうための居室側Ｉ／Ｆ３０２と、集合玄関機２０と通信を行なうための集玄側Ｉ／Ｆ３０２と、制御装置３０の制御を行うための制御機制御部３０１とから構成されている。
【００１７】
居室親機１０ａ、１０ｂ、１０ｃ・・・には、来訪者から居室親機１０ａ、１０ｂ、１０ｃ・・・が呼び出されたときに応答操作を行うための操作部１０１と、集合玄関機２０のカメラ２０４で撮像された映像を表示するための表示部１０２と、集合玄関機２０と通話するためのマイク１０３およびスピーカ１０４と、制御機３０と通信を行うための制御機側Ｉ／Ｆ１０８と、居室親機１０ａ、１０ｂ、１０ｃ・・・の制御を行うための親機制御部１０６とから構成されている。
【００１８】
このように構成された集合住宅用インターホンシステムについて、以下、動作を説明する。尚、集合玄関機からの一般的な呼び出し、及び呼び出しに対する居室親機からの応答動作の説明は本発明の要部ではないので省略し、集合玄関機の操作によってエントランス扉を開扉させる動作の説明を行う。
【００１９】
ＩＤ端末５０を所有した居住者が帰宅したときに、居住者が呼出部２０１の操作部にて自住居の居室番号を入力し呼出操作を行う。すると、ＩＤ端末読取部２０５にてＩＤ端末５０のＩＤ情報を受信可能状態となる。また、カメラ２０４が起動し居住者の顔画像の撮像を開始する。この後、入力された部屋番号と受信されたＩＤ情報が部屋番号映像比較部２０７１に送られ、入力された部屋番号と撮像された居住者の顔画像が部屋番号映像比較部２０７２に送られる。部屋番号ＩＤ比較部２０７１では、予め第一記憶部２０６１に記憶された部屋番号とＩＤ情報が対応したデータと比較を行う。また、部屋番号映像比較部２０７２では、予め第二記憶部２０６２に記憶された部屋番号と顔画像が対応したデータと比較を行う。そして、部屋番号ＩＤ比較部２０７１および部屋番号映像比較部２０７２の両者が一致となった場合には、開扉制御部２０９を制御してエントランス扉４０を開扉させる。また、部屋番号ＩＤ比較部２０７１または部屋番号映像比較部２０７２の両者のうち少なくとも何れか１つが不一致となった場合には、入力された部屋番号の居室親機１０ａ、１０ｂ、１０ｃ・・・に呼出信号を送信する。
【００２０】
また、ＩＤ端末５０でエントランス扉４０を開扉させるため、集合玄関機２０にで、ＩＤ端末の登録を行うことができる。集合玄関機２０の特殊な操作、例えば、スイッチ（不図示）を操作するとモード切替部２１０１によってＩＤ登録モードに切り替えられる。その後、ＩＤ端末５０のＩＤ情報をＩＤ端末読取部２０５にて読み取ると共に、カメラ２０４にて居住者の顔画像を記録する。このとき顔画像は家族全員を許可対象とするため複数の顔画像を記録する。その後、部屋番号とＩＤ情報を対応させて第一記録部２０６１に記録し、部屋番号と顔画像を対応させて第二記録部２０６２に記録することができる。
【００２１】
以上の説明から明らかなように、居住者がエントランスを解錠するための鍵を取り出さず、さらに集合住宅特定の者のみが電気錠の解錠を行うことができる。
【符号の説明】
【００２２】
１０ａ、１０ｂ、１０ｃ・・・  居室親機
２０・・・                集合玄関機
２０１・・・            呼出部
２０５・・・            ＩＤ端末部
２０６１・・・          第一記憶部
２０７１・・・          部屋番号ＩＤ比較部
３０・・・                制御装置
４０・・・                エントランス扉
５０・・・                ＩＤ端末
【図１】
2012049938.tif 000003